(57)【要約】  スペーサ部材を用いて、歯科用インプラント（１）に対してブリッジ（３）を所定の位置に定位するための方法において、これらは一方では夫々のインプラントと協働し、他方ではブリッジ内に配設された締結部材（１１）と協働する。スペーサ部材に含まれる第一スリーブ状部品（９）は前記インプラントと協働する。スペーサ部材に含まれる第二スリーブ状部品（１０）は、一方では前記第一スリーブ状部品と協働し、かつ他方では前記ブリッジ内の締結部材と協働する。前記ブリッジが前記インプラントに固定されるときには前記第一および第二スリーブ状部品（９，１０）は組み立てられた位置を取る。前記ブリッジが前記インプラントから分離されると、前記第一スリーブ状部品は前記夫々のインプラント上でその位置を維持し、かつ前記第二スリーブ状部品は前記ブリッジに追随するかまたは自由部品を構成するように、前記第一および第二スリーブ状部品が分離される。本発明はまた、前記定位を得るための構成配置に関する。本発明によって、ブリッジ装着と関連した多数の部品を減少させることができる。良好な審美的外観を維持することができ、骨吸収を起こしうる損傷を最小にすることができる。【選択図】  図１
2007515245.tif 000002
【特許請求の範囲】
【請求項１】
一方では夫々のインプラントと協働し、他方ではブリッジ内に配設された締結部材（１１）と協働するスペーサ部材（２）を用いて、歯科用インプラント（１）に対してブリッジ（３）を所定の位置に定位するための方法であって、夫々のインプラント用のスペーサ部材に含まれる第一スリーブ状部品（９）が前記インプラントと協働し、かつ夫々のインプラント用のスペーサ部材に含まれる第二スリーブ状部品（１０）が、一方では前記第一スリーブ状部品と協働し、かつ他方では前記ブリッジ内の締結部材と協働し、前記ブリッジが前記インプラントに固定されるときには前記第一および第二スリーブ状部品が組み立てられた位置をとり、前記ブリッジが前記インプラントから分離されると、前記第一スリーブ状部品は前記夫々のインプラント上でその位置を維持し、かつ前記第二スリーブ状部品は前記ブリッジに追随するかまたは自由部品を構成するように、前記第一および第二スリーブ状部品が分離される方法。
【請求項２】
歯科用インプラント（１）に対してブリッジ（３）を所定の位置に定位するための構成配置であって、前記構成配置は、一方では夫々のインプラントと協働し、他方では前記ブリッジ内に配設された締結部材との協働を通して定位を可能にするスペーサ部材（２）を含み、前記夫々のインプラントの前記スペーサ部材は第一および第二スリーブ状部品を含み、前記第一スリーブ状部品（９）は前記インプラントと協働し、前記第二スリーブ状部品（１０）は前記第一スリーブ状部品と結合したりそこから分離することができ、かつ問題の前記締結部材と協働することのできる部分（１０ｅ）を有しており、前記第一スリーブ状部品は、装着状況に関連する長手方向の広がり（Ｌ’）であって、好ましくは第二スリーブ状部品に対して短縮される長手方向の広がり（Ｌ’）を持つ構成配置。
【請求項３】
前記第一スリーブ状部品（９）は、前記夫々のインプラントが適用される顎骨上の軟組織（５）または歯茎の厚さ（Ｔ）に実質的に一致する長さ（Ｌ’）を有する、請求項２に記載の構成配置。
【請求項４】
前記第一スリーブ状部品（９）が、前記歯肉の繊維（７）および適切な場合は骨膜（８）に対して配設することができ、かつそれらと協働することができる、請求項１または２に記載の構成配置。
【請求項５】
前記第一スリーブ状部品が、前記インプラントの上部フランジ面（１ｃ）を介して前記インプラントと協働する、請求項２、３、または４に記載の構成配置。
【請求項６】
前記第二スリーブ状部品（１０）が、前記第一スリーブ状部品（９）の例えば外ねじ（９ａ）が設けられた上部に係合することのできる下部スリーブ状部分（１０ａ）を有する、請求項２ないし５に記載の構成配置。
【請求項７】
前記第二スリーブ状部品（１０）が、前記第一スリーブ状部品と協働することのできる第一部分と、前記第一部分よりも狭幅でありかつ前記締結部材（１１）と協働する部分を支持する第二部分（１０ｅ）とを有する、請求項２ないし６に記載の構成配置。
【請求項８】
前記軟組織または歯茎の頂面（６ａ）に隣接する傾斜外面（１０ｃ）を介して前記第一および第二上部部品が外側で結合する、請求項７に記載の構成配置。
【請求項９】
前記狭窄部（１０ｂ）が狭窄ブリッジ構成に含まれる、請求項７および８のいずれかに記載の構成配置。
【請求項１０】
夫々のインプラント（１）用の第一スリーブ状部品（９）を前記インプラントに固定することができ、組み立てられた状態においてねじ頭（１２ａ）が前記傾斜上面（１０ｃ）と実質的に同じ高さに延在する内ねじ（１２）によって、前記第一および第二部分を互いに対して相互案内することができる、請求項８および９のいずれかに記載の構成配置。
【発明の詳細な説明】
【技術分野】
【０００１】
本発明は、とりわけ、一方では夫々のインプラントと協働しかつ他方ではブリッジ内に配設された締結部材と協働するスペーサ部材を用いて、歯科用インプラントに対してブリッジを所定の位置に定位するための方法に関する。本発明はまた、歯科用インプラントに対してブリッジを所定の位置に定位するための構成配置であって、一方では夫々のインプラントと協働し、かつ他方ではブリッジ内に配設された締結部材との協働により定位を可能にするスペーサ部材を含む構成配置に関する。
【背景技術】
【０００２】
本発明は、本特許出願と同一発明者による、同一出願人の出願による国際特許出願公開第０３／０６１５１２号のさらなる展開である。ブリッジの構造およびそのようなブリッジを接続する問題について、とりわけ前記特許出願を参照されたい。
【０００３】
提案した特許出願の内容によると、異なる装着状況では異なる長さのスペーサスリーブを使用することが必要になる。極めて一般的に、歯科技工品の部品の個数を低減できることが要求される。異なる装着状況に対し異なる個数の部品を使用すると、部品を混同する危険性もあり、それは標準以下の装着結果を生じる危険性を伴い、ブリッジまたは歯牙に対する何らかの作業をやり直さなければならないことを意味する。また、歯科用ブリッジの形状構成に関してより多数のバリエーションも要求される。場合によっては、ブリッジの全部または一部を比較的狭幅にする必要がある。また、実際のブリッジ築造でも、存在するインプラント間の相互平行性も要求される。また、顎骨／軟組織（歯茎）とインプラントおよびスペーサスリーブの実際の部品との間の生物学的融合が多少とも進行したときに、それを中断する必要なく、装着作業を続行することができることも要求される。融合のそのような中断は、骨吸収に導く損傷を引き起こすおそれがあり、それは次に劣等な審美的結果に導く。
【発明の開示】
【０００４】
本発明の目的は、とりわけ上述した問題を解決することである。
【０００５】
本発明に係る方法を特徴付けると主にみなすことのできることは、とりわけ、夫々のインプラント用のスペーサ部材に含まれる第一スリーブ状部品がインプラントと協働し、夫々のインプラント用のスペーサ部材に含まれる第二スリーブ状部品が、一方では第一スリーブ状部品と協働し、他方ではブリッジ内の締結部材と協働することである。さらなる特徴は、ブリッジがインプラントに固定されたときには、第一および第二スリーブ状部品が組み立てられた位置をとり、ブリッジがインプラントから分離されると、第一スリーブ状部品は夫々のインプラント上でその位置を維持し、かつ第二スリーブ状部品はブリッジに追随するかまたは自由部品を構成するように、第一および第二スリーブ状部品が分離されることである。
【０００６】
本発明に係る構成配置を特徴付けると主にみなすことのできることは、夫々のインプラント用のスペーサ部材が第一および第二スリーブ状部品を含み、第一スリーブ状部品はインプラントと協働し、第二スリーブ状部品は第一スリーブ状部品と結合したりそこから分離することができ、かつブリッジ内の締結部材と協働することのできる部分を有することである。さらなる特徴は、第一スリーブ状部品が装着状況に関連する長手方向の広がりであって、好ましくは第二スリーブ状部品に対して短縮される長手方向の広がりを持つことができる。
【０００７】
本発明の概念のさらなる展開では、第一スリーブ状部品は、夫々のインプラントが適用される顎骨上の軟組織または歯茎の厚さに実質的に一致する長さ（または高さ）を持つことができる。好適な実施形態では、第一スリーブ状部品は、歯肉の繊維および適切な場合には骨膜に対して配設することができ、かつそれらと協働することができる。第一スリーブ状部品は、インプラントの上部フランジ面を介してインプラントと協働することができる。第二スリーブ状部品は第一スリーブ状部品の上に係合させることができる。第二スリーブ状部品は、ブリッジの締結部材と協働するために、ブリッジに向かってまたはブリッジ内に延びる狭窄部を有することが好ましい。
【０００８】
本発明のさらなる実施形態は、とりわけ添付の特許請求の範囲で新規の構成配置に関する従属請求項に記載する。
【０００９】
上に提示したものによって、炭素繊維ブリッジの装着に関連して部品の調達および使用の幅広い自由を可能にする利点が得られる。正確な部品を入手して使用することができる。より多種多様なブリッジ、例えば狭幅のブリッジの実現性と同時に、非常に優れた審美性を伴う優れた装着結果の条件を達成することができる。
【発明を実施するための最良の形態】
【００１０】
本発明に係る方法および構成配置の現在提案する実施形態について、添付の図面を参照しながら以下で説明する。
図１は第一および第二スリーブ状部品を含むスペーサ部材を伴う、ブリッジ内のインプラントの縦断面図を示す。
図２は図１に係るインプラントおよびスペーサ部材の縦組立分解図を示す。
【００１１】
図１において、インプラントは１で示される。インプラントに接続されたスペーサ部材は２で示される。炭素繊維ブリッジの部品は３で示される。ブリッジまたは同等物は、図１の二つ以上のインプラントに固定される。様々なインプラントおよびスペーサ部材は、同一または本質的に同じ構造を持つことができるので、スペーサ部材を随伴するインプラントが一つだけ図１に図示されている。ここで、上述した国際公開明細書を参照されたい。インプラントは、象徴的に４で示されかつ頂部に歯茎５または軟組織が設けられた顎骨内に固定される。歯茎の口腔上皮は６で示され、歯茎の歯肉内の繊維は７で示される。加えて、インプラントの外面１ａの周囲の骨膜は８で示されている。インプラントは、それ自体公知の方法で、例えばインプラント上の外ねじ（図示せず）によって顎骨４に固定することができる。インプラントは、顎骨における仮ねじ止めを介して顎骨内にねじ込まれる。あるいは、インプラントはセルフタップ型とすることができる。夫々のインプラントのスペーサ部材は、第一スリーブ状部品９および第二スリーブ状部品１０を含むことができる。第一スリーブ状部品は溝９ａを持つことができる。第二スリーブ状部品は第一部分１０ａおよび第二部分１０ｂを有することができる。第一部分１０ａは、第一スリーブ状部品９の上に係合することのできるスリーブの形を有することができる。したがってスリーブ状部品１０ａは溝９ａを包囲する。その外側に、第二スリーブ状部品は傾斜した外面１９ｃを有する。第一スリーブ状部品９は低い高さを有し、図１に示した状態においては、スペーサ部材位置の上皮６の上面６ａと実質的に同じ高さである。第二スリーブ状部品の第一部分１０ａは、第一スリーブ状部品の長さまたは高さをほんの少し超える長さまたは高さを有する。傾斜１０ｃは、上皮６の頂面６に基本的に隣接するとみなすことができる。第二スリーブ状部品１０の第二部分１０ｂは比較的小さい断面を有し、あるいは有することができ、それは、問題のブリッジ構造３を非常に狭幅にすることができることを意味する。これは、ブリッジ３内の締結部材１１を比較的小さい寸法または幅Βにすることができることを意味する。したがってブリッジは、顎骨／軟組織を横切る方向に比較的狭幅にすることができる。
【００１２】
第一スリーブ状部品９は、ねじ１２によってインプラントに固定することができる。ねじ頭１２ａは、第二スリーブ状部品の外側の傾斜遷移面１０ｃと同じ高さに延在する。第二スリーブ状部品は、第一部分１０ａの内面１０ａ’を介して、第一スリーブ状部品に当てて案内される。加えて、第二スリーブ状部品は、第二部分１０ｂの内面１０ｂ’を介して、ねじ頭の外面１２ａ’に当てて案内される。この構成により、第一および第二スリーブ状部品９および１０は、一方では図１に示す位置で互いに結合することができ、他方では、第一スリーブ状部品９が図による位置を維持することができ、かつ第二スリーブ状部品１０がブリッジに追随することができ、あるいは例えば試験後にブリッジが一時的にインプラントから切り離されたときに、独立部品または自由部品を形成することができるように、分離することができる。第一および第二部品間の決定的な締着は例えば、第一スリーブ状部品９を空間１０ｄ内で拡張させるねじ１２により得ることができる。
【００１３】
図２において、インプラント１の様々な部分、第一スリーブ部品９、ねじ１２、および第二スリーブ部品１０を分離して詳細に図示する。インプラント１はそれ自体公知の型とすることができ、かつ同様の公知の型の長さＬを持つことができる。インプラントにはとりわけ、端面９ｃを介してフランジ１ｃに当てて支承することのできる第一スリーブ状部品９のための内ねじ１ｂおよび外部支持フランジ１ｃが設けられる。その上部で、第一スリーブ状部品にはばね装置が設けられ、それによってインプラントねじを図１に示すその位置に維持することができる。インプラントねじは、インプラントの内ねじ１ｂと協働することのできる外ねじ１２ｂを含む。ねじはそのねじ頭１２ａに円錐形外面１２ｃを有する。この円錐形表面１２ｃは、第一スリーブ状部品の対応する傾斜円錐形表面９ｄと協働することができる。第一スリーブ状部品は、インプラントの長さまたは高さＬの約１／３である長さまたは高さＬ’を有する。第二スリーブ状部品１０は、第二スリーブ状部品の第一部分１０ａの幅Ｂ”の約７０％を構成することのできる幅Ｂ’を持つ狭窄部を有する。第二スリーブ状部品は、インプラントの長さまたは高さＬとほぼ同一長さとすることのできる長さまたは高さＬ”を有する。狭窄部によって、問題のブリッジ（図１の３を参照）は、上記国際公開明細書による従来公知の技術に対して比較的狭幅にすることができる。第一スリーブ状部品の高さまたは長さＬ’は軟組織（図１の５参照）の厚さに実質的に一致する。図示する構成配置により、第一スリーブ状部品は、歯肉の繊維７の領域で下方に延在するものとみなすことができる。第一スリーブ状部品は図１によるその位置に維持されるという事実のおかげで、しばらくして例えば試験または調節のためにブリッジが取り外される場合に、すでに始まっていた生物学的融合を中断または破壊する必要が無い。図２において、締結部材１１と協働する第二スリーブ状部品の部分は、象徴的に１０ｅで示される。第一スリーブ状部品の長さＬ’は、第二スリーブ状部品の長さＬ”の約１／３である。図１における軟組織の厚さはＴで示される。
【００１４】
本発明は、例として上述した実施形態に限定されず、代わりに添付の特許請求の範囲および発明の概念の範囲内で変形することができる。
【図面の簡単な説明】
【００１５】
【図１】第一および第二スリーブ状部品を含むスペーサ部材を伴う、ブリッジ内のインプラントの縦断面図を示す。
【図２】図１に係るインプラントおよびスペーサ部材の縦組立分解図を示す。
【図１】
2007515245.tif 000003
【図２】
2007515245.tif 000004
【国際調査報告】
2007515245.tif 000005
2007515245.tif 000006